(57)【特許請求の範囲】
【請求項１】
エレベータの昇降路内を昇降する乗りかごに出入りするために開閉する乗りかごドアパネルと、
前記乗りかごドアパネルに隣接し、前記乗りかごの室内の一部を構成する袖壁と、
前記袖壁に設置され、前記乗りかごを操作する操作ボタンを設けたメイン操作盤と、
前記乗りかごドアパネルを間に挟んで互いに対向配置し、前記乗りかごの室内の一部を構成するかご室壁と、
前記かご室壁に水平に取着した手摺と、
前記手摺の上側に設けた点字と、
を備えた前記乗りかご内に設置されている、エレベータ用操作盤であって、
前記乗りかご内から操作可能に設置されたサブ操作盤を備え、
前記サブ操作盤には、前記点字より下側の位置に、前記点字に触れた状態で前記乗りかごを前記点字と同内容の操作を可能とする操作ボタンを設置した、エレベータ用操作盤。
【請求項２】
前記サブ操作盤の操作ボタンは、点字内容と対応する下方側に配置した、請求項１記載のエレベータ用操作盤。
【請求項３】
前記サブ操作盤の操作ボタンは、該サブ操作盤の操作面と同一か下がった位置とした、請求項１または２記載のエレベータ用操作盤。
【請求項４】
前記サブ操作盤の操作ボタンは、該操作ボタン毎に前記サブ操作盤の操作面と同一か下がった位置に設けた、請求項３記載のエレベータ用操作盤。
【請求項５】
前記手摺に設けた点字は、該手摺の長手方向を行として並べて設けた、請求項１乃至４の何れか一項記載のエレベータ用操作盤。
【請求項６】
前記サブ操作盤は、前記手摺より突出しない状態で取着された、請求項１乃至５の何れか一項記載のエレベータ用操作盤。
【発明の詳細な説明】
【技術分野】
【０００１】
この発明は、エレベータ用操作盤に関する。
【背景技術】
【０００２】
従来のエレベータ用操作盤は、視覚障害者の操作性を考慮して操作ボタンの横に点字が設けられている。操作者は、操作対象の点字を探し、その点字に対応の操作ボタンの操作を行っている。
【０００３】
しかしながら、エレベータ用操作盤は、エレベータにより設置場所、設置位置、操作盤の形状もことなっている。このため視覚障害者には、操作盤の操作が極めて煩雑である、という課題があった。
【先行技術文献】
【特許文献】
【０００４】
【特許文献１】特開２００９−２８０３８７号公報
【発明の概要】
【発明が解決しようとする課題】
【０００５】
この発明が解決しようとする課題は、視覚障害者の操作性向上を図ることのできるエレベータ用操作盤を提供することである。
【課題を解決するための手段】
【０００６】
実施形態のエレベータ用操作盤は、エレベータの昇降路内を昇降する乗りかごに出入りするために開閉する乗りかごドアパネルと、前記乗りかごドアパネルに隣接し、前記乗りかごの室内の一部を構成する袖壁と、前記袖壁に設置され、前記乗りかごを操作する操作ボタンを設けたメイン操作盤と、前記乗りかごドアパネルを間に挟んで互いに対向配置し、前記乗りかごの室内の一部を構成するかご室壁と、前記かご室壁に水平に取着した手摺と、前記手摺の上側に設けた点字と、を備えた前記乗りかご内に設置されている、エレベータ用操作盤であって、前記乗りかご内から操作可能に設置されたサブ操作盤を備え、前記サブ操作盤には、前記点字より下側の位置に、前記点字に触れた状態で前記乗りかごを前記点字と同内容の操作を可能とする操作ボタンを設置した。
【図面の簡単な説明】
【０００７】
【図１】エレベータ用操作盤に関する第１の実施形態について説明するための斜視図である。
【図２】図１のメイン操作盤を示す図である。
【図３】図１のサブ操作盤を示す要部の斜視図である。
【図４】図３の正面図である。
【図５】図４のＡａ−Ａｂ線断面図である。
【図６】エレベータ用操作盤に関する第２の実施形態について説明するための斜視図である。
【図７】図６のＢａ−Ｂｂ線断面図である。
【図８】エレベータ用操作盤に関する第３の実施形態について説明するための正面図である。
【図９】図８のＣａ−Ｃｂ線断面図である。
【図１０】エレベータ用操作盤に関する第４の実施形態について説明するための断面図である。
【発明を実施するための形態】
【０００８】
以下、実施形態について、図面を参照しながら詳細に説明する。なお、以下で説明する図面で、同一機能を有するものは同一符号を付し、その繰り返しの説明は省略する。
【０００９】
（第１の実施形態）
図１〜図５は、エレベータ用操作盤にかかる第１の実施形態を示す。図１は、エレベータかご内を示す斜視図である。図２は、図１のメイン操作盤の一例を示す図である。図３は、図１要部の斜視図である。図４は、図３の正面図である。図５は、図４のＡａ−Ａｂ線断面図である。
【００１０】
図１において、エレベータ昇降路内を昇降する乗りかご１１は、建築物の各階のエレベータ乗り場に設けられている。乗りかご１１は、図示しない乗り場のドアに対向する乗りかごドアパネル１２ａ，１２ｂが乗り口１３を塞ぐように設置されている。乗りかごドアパネル１２ａの隣には、袖壁１４ａが設けられている。乗りかごドアパネル１２ｂの隣には、乗りかご用のメイン操作盤１５等が設置された袖壁１４ｂが設けられている。
【００１１】
乗りかごドアパネル１２ａ，１２ｂを間に挟んで乗りかご１１の両側に互いに対向するように設けられたかご室壁１６ａおよび１６ｂは、所定の高さを有する幅木１７ａおよび１７ｂを介してかご室の床１８に立設されている。かご室壁１６ａおよび１６ｂには、所定の高さに円柱状の手摺１９ａおよび１９ｂがそれぞれ水平に取り付けられている。
【００１２】
乗りかご１１の天井部２０には、照明装置２１が設置されている。なお、図１は、この発明におけるエレベータのかごの代表図を示したものである。また、乗りかご１１は、床１８、天井部２０、かご室壁１６ａ、１６ｂそれに図示しない乗りかごドアパネル１２ａ，１２ｂと対向位置に設けられたかご室壁、袖壁１４ａ，１４ｂ、乗りかごドアパネル１２ａ，１２ｂによって内部空間が形成されている。
【００１３】
図２に示すように、メイン操作盤１５には、エレベータを操作するための各操作ボタンを設けられている。例えば、メイン操作盤１５の下側には、エレベータの階床数や乗りかごドアパネル１２ａ，１２ｂを開くための開ボタン１５１、閉じるための閉ボタン１５２が設けられている。メイン操作盤１５には、階床を示す階ボタン１５３が縦方向に並べて設けられている。さらに、メイン操作盤１５の上側には、非常電話ボタン１５４が設けられている。各押ボタンの横には、対応する内容の点字１５５が併設されている。
【００１４】
視覚障害者は、点字１５５を読み取り、階ボタン１５３、開ボタン１５１、閉ボタン１５２の中から所望のボタンを操作する。階ボタン１５３が操作されると、操作された階床に対応する図示しないエレベータ制御部に信号が送られる。エレベータ制御部は、送られてきた信号に基づく階床に乗りかご１１を走行させる。
【００１５】
詳述しないが、点字１５５を利用して操作が行われた場合は、点字操作による登録を行う。そして、階ボタン１５３、開ボタン１５１、閉ボタン１５２の中から操作されたボタンの情報や到着階、乗りかごドアパネル１２ａ，１２ｂの開閉等について、音声によって通知を行う。音声メッセージの例としては、例えば「点字の下側に操作ボタンがありますので、点字内容のボタンを操作してください。」のメッセージを音声で発するようにしてもよい。これにより、視覚障害者に対する操作性を、より向上させることに寄与する。
【００１６】
操作ボタンの操作状態の音声による通知は、点字１５５と操作ボタンが同時に接触した場合に限り通知するようにする。これにより、必要以上に操作ボタンの操作に基づく音声による通知を軽減することができる。
【００１７】
手摺１９ａおよび１９ｂには、長手方向の上面に点字１９１が設けられている。点字１９１としては、例えば図２の開ボタン１５１、閉ボタン１５２それに階ボタン１５３対応の点字１５５と同内容とする。点字１９１は、視覚障害者が手摺１９ａまたは１９ｂを握ったまま摺らせることで、点字情報の認識が可能となる。なお、点字１９１は、手摺１９ａおよび１９ｂの長手方向を行として並べて設けられている。
【００１８】
さらに、手摺１９ａおよび１９ｂの下側には、サブ操作盤２２が、かご室壁１６ａ、１６ｂの内面１６ａ１，１６ｂ１に取着した状態で配置されている。サブ操作盤２２には、エレベータを操作するための各操作ボタンを設けられている。操作ボタンとしては、例えば点字１９１に対応するエレベータの階ボタン１９２、開ボタン１９３、閉ボタン１９４が設けられている。階ボタン１９２、開ボタン１９３、閉ボタン１９４は、図５に示すように、点字１９１に接触した状態でも操作可能な位置に配置される。
【００１９】
サブ操作盤２２の配線は、例えばかご室壁１６ａ、１６ｂに形成された配線孔を介して、メイン操作盤１５との電気的な接続を実現することができる。
【００２０】
なお、手摺１９ａ，１９ｂの点字１９１は、点字情報が長くなったりすること等を考慮し、昇降に最低限必要なボタンとしたが、図２に示すメイン操作盤１５と同じ内容であってもよい。また、サブ操作盤２２は、手摺１９ａおよび１９ｂに配置したが、何れか一方に配置してもよい。
【００２１】
手摺１９ａ，１９ｂは、乗り口１３から入って乗りかご１１の左右に配置され、視覚障害者にあっても、その設置場所がわかりやすい。点字１９１は、手摺１９ａ，１９ｂ上に設けられている。そして、階ボタン１９２、開ボタン１９３、閉ボタン１９４は、点字１９１の情報に対応した位置に設けられている。点字１９１に触れた状態での操作が可能であることから、点字１９１とそれに階ボタン１９２、開ボタン１９３、閉ボタン１９４の位置関係が極めてわかりやすいものとなる。
【００２２】
この実施形態では、手摺に点字を設けるとともに、点字に触れた状態で点字内容に対応した操作ボタンを配置した。これにより視覚障害者がエレベータかご内の操作性の向上を図ることができる。
【００２３】
（第２の実施形態）
図６、図７は、エレベータ用操作盤にかかる第２の実施形態を示す。図６は、要部の正面図である。図７は、図６のＢａ−Ｂｂ線断面図である。
【００２４】
図６、図７において、サブ操作盤６１は、図３のサブ操作盤２２と同一機能を備えている。サブ操作盤６１の操作面６１１には、階ボタン１９２、開ボタン１９３、閉ボタン１９４を除くほぼ全面に、例えばアルミニウム製の取付ベルト６２の一端６２１が取着されている。取付ベルト６２の他端６２２は、手摺１９ｂを巻きながらサブ操作盤６１の非操作面６１２と対向する位置にくるように成形されている。
【００２５】
手摺１９ｂを巻かれた状態で手摺１９ｂの上面に位置する取付ベルト６２の上面には点字１９１が形成されている。点字１９１は、例えばプレス加工により形成可能である。点字１９１は、点字１９１に接触した状態で階ボタン１９２、開ボタン１９３、閉ボタン１９４が操作可能な位置関係に形成させている。
【００２６】
他端６２２と非操作面６１２は、間隔が開けられている。ネジ６３は、他端６２２を介して非操作面６１２にねじ込まれている。ネジ６３は、非操作面６１２にねじ込む力で、他端６２２と非操作面６１との間隔を狭めながら、取付ベルト６２を手摺１９ｂに固定する。
【００２７】
サブ操作盤６１の配線６４は、かご室壁１６ｂに開けた配線孔６５を介して、例えばメイン操作盤１５に電気的に接続する。
【００２８】
このように、サブ操作盤６１は、取付ベルト６２を取り付けるだけで、手摺１９ｂに点字１９１および点字１９１に対応の階ボタン１９２、開ボタン１９３、閉ボタン１９４を備えることができる。そして、階ボタン１９２、開ボタン１９３、閉ボタン１９４は、点字１９１に触れたままの操作が可能である。視覚障害者にとっては、操作性の高いエレベータ用操作盤を提供することができる。
【００２９】
この実施形態では、手摺にサブ操作盤が取着された取付ベルトを取り付けるだけで、視覚障害者の利用性を向上させることが可能となる。また、既存のエレベータの手摺にも配線用の穴あけや簡単な配線工事程度で取付けることも可能である。
【００３０】
（第３の実施形態）
図８、図９は、エレベータ用操作盤にかかる第３の実施形態を示す。図８は、要部の正面図である。図９は、図８のＣａ−Ｃｂ線断面図である。
【００３１】
サブ操作盤２２の設置場所では、エレベータ利用者の出入りが頻繁に行われる。出入り時は、場合によって、サブ操作盤２２の階ボタン１９２、開ボタン１９３、閉ボタン１９４に不用意に触れて操作してしまう可能性がある。
【００３２】
そこで、この実施形態では、階ボタン１９２、開ボタン１９３、閉ボタン１９４を、サブ操作盤２２の盤面２２１よりもボタン取付面２２２を低くした。ボタン取付面２２２は盤面２２１よりもやや低くした。
【００３３】
これにより、エレベータ利用が不用意に階ボタン１９２、開ボタン１９３、閉ボタン１９４を操作してしまう弊害を抑制することができる。
【００３４】
なお、この実施形態では、第１の実施形態のサブ操作盤２２に対応した例を挙げたが、第２の実施形態のサブ操作盤６１にも適用可能である。また、階ボタン１９２、開ボタン１９３、閉ボタン１９４は、同一のボタン取付面２２２としたが、階ボタン１９２、開ボタン１９３、閉ボタン１９４を個別に、盤面２２１より低くしてもよい。この場合は、階ボタン１９２、開ボタン１９３、閉ボタン１９４の周辺に盤面２２１による土手が形成されることになり、より不用意なボタン操作を抑制することができる。
【００３５】
（第４の実施形態）
図１０は、エレベータ用操作盤にかかる第４の実施形態について説明するための断面図である。
【００３６】
この実施形態は、かご室壁１６ａの内面１６ｂ１に取り付けられたサブ操作盤６１の頂点２２３までの高さｈ１と内面１６ｂ１から手摺１９ｂの反対面までの高さ（距離）ｈ２の関係を、ｈ２＞ｈ１とした。そして、階ボタン１９２、開ボタン１９３、閉ボタン１９４の位置は、点字１９１に接触した状態で操作可能な位置とした。
【００３７】
これにより、サブ操作盤６１には、手摺１９ｂがガイドとなってエレベータ利用者がぶつかったり、階ボタン１９２、開ボタン１９３、閉ボタン１９４を不用意に操作したりすることを抑制することができる。
【００３８】
この実施形態では、サブ操作盤が手摺よりもエレベータ利用者側に突出してしまうことを防止可能となり、安全性の向上を図ることができる。また、手摺がガイドとなって不用意な操作ミスなどの発生も抑制することができる。
【００３９】
上記した実施形態に限定されるものではない。例えば第１の実施形態でのサブ操作盤２２は、かご室壁１６ａ、１６ｂに取着したが、手摺１９ａおよび１９ｂに直接取着しても構わない。点字１９１は、手摺１９ａ，１９ｂの上面（上方）に設けたが、サブ操作盤の位置によっては、上面に限定されるものではない。要は、点字１９１に触れた状態でボタン操作ができる状態であればよい。
【００４０】
また、第２〜第４の実施形態では、手摺１９ｂへの適用について説明したが、手摺１９ａにも適用可能である。手摺１９ｂ側だけのみ適用してもよい。
【００４１】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００４２】
１１  乗りかご
１２ａ，１２ｂ  乗りかごドアパネル
１５  メイン操作盤
１５１，１９３  開ボタン
１５２，１９４  閉ボタン
１５３，１９２  階ボタン
１５５，１９１  点字
１６ａ，１６ｂ  かご室壁
１９ａ，１９ｂ  手摺
６１  サブ操作盤
６２  取付ベルト
６３  ネジ
２２１  盤面
２２２  ボタン取付面
【図１】
0005959122.tif 000002
【図２】
0005959122.tif 000003
【図３】
0005959122.tif 000004
【図４】
0005959122.tif 000005
【図５】
0005959122.tif 000006
【図６】
0005959122.tif 000007
【図７】
0005959122.tif 000008
【図８】
0005959122.tif 000009
【図９】
0005959122.tif 000010
【図１０】
0005959122.tif 000011